(57)【要約】【課題】ＬＥＤモジュール装置の放熱特性を改善するだけでなく、ＬＥＤパッケージ基板の製造プロセス及びＬＥＤチップの実装及びその配線を簡単化する。【解決手段】ＬＥＤパッケージ基板は、曲げ加工した金属プレートと、該金属プレート上に接着される絶縁層と金属箔からなる積層構成を備える。この積層構成は、少なくとも絶縁層の打ち抜き加工により形成したＬＥＤチップ装着用の開口部、及び金属箔先端側を部分的に除去した金属箔除去部を備える。絶縁層を介すること無く、金属プレートの平板状底部上面にＬＥＤチップを装着して、該ＬＥＤチップの一対の電極は金属プレートの平板状底部或いはその上の金属箔に接続されている。壁部の上端側の金属プレート或いはその上の金属箔を一対の接続電極として構成して、配線基板の配線と接続する。【選択図】図１
2015038902.tif 000002
【特許請求の範囲】
【請求項１】
金属プレートを加工してＬＥＤチップのためのＬＥＤパッケージ基板を構成し、かつ、該基板を用いたＬＥＤパッケージを配線基板に装着したＬＥＤモジュール装置において、
前記ＬＥＤパッケージ基板は、ＬＥＤチップが装着される平板状底部及び該底部端の両側からそれぞれ立ち上がる壁部を形成するように曲げ加工した金属プレートと、該金属プレート上に接着される絶縁層と金属箔からなる積層構成を備え、
前記積層構成は、少なくとも前記絶縁層の打ち抜き加工により形成したＬＥＤチップ装着用の開口部、及び金属箔先端側を部分的に除去した金属箔除去部を備え、
前記絶縁層を介すること無く、前記金属プレートの平板状底部上面にＬＥＤチップを装着して、該ＬＥＤチップの一対の電極は前記金属プレートの平板状底部或いはその上の前記金属箔に接続されており、
透明樹脂を前記壁部に挟まれた凹所に充填することによりＬＥＤパッケージを構成して、前記壁部の上端側の金属プレート或いはその上の金属箔を、一対の接続電極として構成し、
前記ＬＥＤパッケージを配線基板に実装して、前記一対の接続電極を配線基板の配線と接続すると共に、前記ＬＥＤパッケージの平板状底部裏面を放熱体に固着或いは接触させることから成るＬＥＤモジュール装置。
【請求項２】
前記ＬＥＤチップの両側において互いに分離して金属表面処理を施すことにより形成した反射材を備える請求項１に記載のＬＥＤモジュール装置。
【請求項３】
前記金属プレート上に前記絶縁層を介して形成した前記金属箔は、前記ＬＥＤチップの両方の側に互いに分離して形成されると共に、前記ＬＥＤチップの一対の電極の接続はそれぞれ、互いに分離して形成された前記金属箔にワイヤボンド接続され、かつ、両方の側の前記壁部の上端側の前記金属箔を、一対の接続電極として構成した請求項１に記載のＬＥＤモジュール装置。
【請求項４】
前記壁部の上端側の金属箔を、一対の接続電極の内の一方の接続電極として構成し、かつ、他方の接続電極を、前記壁部の上端側の金属プレートにより構成し、かつ、前記絶縁層を介すること無く、前記金属プレートの前記平板状の底部にＬＥＤチップを、導電性ダイボンド材を用いて電気的及び機械的に結合して、該ＬＥＤチップの一対の電極の内の一方の電極を前記金属箔にワイヤボンド接続する一方、他方の電極の接続は、前記金属プレートに対して前記導電性ダイボンド材により接続した請求項１に記載のＬＥＤモジュール装置。
【請求項５】
前記放熱体は放熱板又は筐体であり、若しくは前記ＬＥＤパッケージ基板の平板状底部裏面を前記配線基板に固着してこの配線基板を放熱体として機能させた請求項１に記載のＬＥＤモジュール装置。
【請求項６】
前記底部端の両側からそれぞれ立ち上がる左右方向壁部に連結しかつそれに直交する前後方向壁部を設けて、封止樹脂を左右前後から閉じこめる機能を果たす請求項１に記載のＬＥＤモジュール装置。
【請求項７】
金属プレートを加工してＬＥＤチップのためのＬＥＤパッケージ基板を構成し、かつ、該基板を用いたＬＥＤパッケージを配線基板に装着したＬＥＤモジュール装置の製造方法において、
絶縁層の上に金属箔を積層した積層構成を形成し、
少なくとも前記絶縁層の打ち抜き加工を行うことにより、前記積層構成にＬＥＤチップ装着用の開口部、及び金属箔先端側を部分的に除去した金属箔除去部を設け、
前記積層構成を、前記金属プレートの上に接着し、
前記積層構成を接着した前記金属プレートの曲げ加工を行なって、ＬＥＤチップが搭載されることになる平板状の底部と、この底部の両側に位置して底部端から折曲して立ち上がる方向に、ＬＥＤチップの発光方向と同じ側に伸びる壁部を備えて、この壁部上部を外方向に折り曲げて、ＬＥＤパッケージ基板を構成し、
前記壁部の上端側の金属プレート或いはその上の金属箔を、一対の接続電極として機能させ、
前記絶縁層を介すること無く、前記金属プレートの前記平板状の底部にＬＥＤチップを装着して、該ＬＥＤチップの一対の電極を前記平板状の底部の金属プレート或いはその上の金属箔に接続し、
透明樹脂を前記壁部に挟まれた凹所に充填することにより樹脂封止して、ＬＥＤパッケージを構成し、
前記ＬＥＤパッケージを配線基板に実装して、前記一対の接続電極を配線基板上の配線と接続すると共に、前記ＬＥＤパッケージ基板の平板状底部裏面を放熱体に固着或いは接触させることから成るＬＥＤモジュール装置の製造方法。
【請求項８】
前記開口部及び前記金属箔除去部は、積層した樹脂層と金属箔を同時に打ち抜き加工するか、或いは、エッチングにより金属箔を開口した後、金属箔開口部において打ち抜き加工により樹脂層を開口する請求項７に記載のＬＥＤモジュール装置の製造方法。
【請求項９】
前記壁部の上端側の金属箔を、一対の接続電極の内の一方の接続電極として構成し、かつ、他方の接続電極を、前記壁部の上端側の金属プレートにより構成し、かつ、前記絶縁層を介すること無く、前記金属プレートの前記平板状の底部にＬＥＤチップを、導電性ダイボンド材を用いて電気的及び機械的に結合して、該ＬＥＤチップの一対の電極の内の一方の電極を前記金属箔にワイヤボンド接続する一方、他方の電極の接続は、前記金属プレートに対して前記導電性ダイボンド材により接続した請求項７に記載のＬＥＤモジュール装置の製造方法。
【請求項１０】
前記金属プレート上に前記絶縁層を介して形成した前記金属箔は、前記ＬＥＤチップの両方の側に互いに分離して形成されると共に、前記ＬＥＤチップの一対の電極の接続はそれぞれ、互いに分離して形成された前記金属箔にワイヤボンド接続され、かつ、両方の側の前記壁部の上端側の前記金属箔を、一対の接続電極として構成した請求項７に記載のＬＥＤモジュール装置の製造方法。
【請求項１１】
前記ＬＥＤパッケージ基板は、１枚の金属プレートの上に複数個同時作成し、前記ＬＥＤパッケージ基板上にＬＥＤチップを装着して樹脂封止した後、個々のＬＥＤパッケージ或いは任意の複数個連結したＬＥＤパッケージに切り分ける個片化を行う請求項７に記載のＬＥＤモジュール装置の製造方法。
【請求項１２】
前記平板状の底部端の両側からそれぞれ立ち上がる左右方向壁部に連結しかつそれに直交する前後方向壁部を設けて、封止樹脂を左右前後から閉じこめる請求項７に記載のＬＥＤモジュール装置の製造方法。
【発明の詳細な説明】
【技術分野】
【０００１】
本発明は、金属プレートを加工してＬＥＤチップのためのＬＥＤパッケージ基板を構成したＬＥＤモジュール装置とその製造方法に関する。
【背景技術】
【０００２】
ＬＥＤ（Light Emitting Diode:発光ダイオード）は、消費電力が低く二酸化炭素削減、高耐久性という環境と省エネを兼ね備えた素子として普及している。このようなＬＥＤチップを搭載したパッケージは、配線基板上に装着して、大型ディスプレイ、携帯電話やデジタルビデオカメラ、PDAなどの電子機器のバックライト、道路照明や一般照明などに用いられている。ＬＥＤはそれ自体が発光素子であり、熱を放出するので、ＬＥＤパッケージは基本的に冷却のための放熱装置を含んでいる。
【０００３】
現行のＬＥＤモジュール装置ではＬＥＤパッケージ基板としてセラミック基板又はシリコン基板、或いは金属基板を用いているが、従来のセラミック基板（特許文献１参照）又はシリコン基板（特許文献２参照）を使用した方法では、セラミックやシリコンの熱伝導が銅などの金属よりも悪いためうまく放熱できないこと、高価なこと、加工が困難などの問題がある。
【０００４】
図１３は、従来公知の発光装置を例示する図である（特許文献３参照）。図示のように、ステンレス基板の表面に、リード電極を構成する銅箔パターンが絶縁膜を介して形成されている。このステンレス基板には貫通孔を形成して、この貫通孔に銅支持体を嵌合させる。銅支持体の先端に形成した凹所内に、ＬＥＤチップを配置する。ＬＥＤチップの各電極と基板の表面に設けられた銅箔パターンとをワイヤボンディングする。この後、シリコン樹脂等の透光性樹脂をポッティングして硬化させることにより、レンズを形成する。レンズとして機能させているシリコン樹脂は、支持体の突起部及び発光素子、更には電極にボンディングされたワイヤまでを覆うように設けられている。
【０００５】
ＬＥＤチップ電極のボンディング接続部には樹脂封止が施されているが、図示の構成は、必要な箇所のみに効率的に樹脂注入することができないという問題がある。樹脂封止のためのシリコン樹脂等の透光性樹脂は、高価であるので、より限定的に樹脂注入するための構成が求められる。
【０００６】
図１４は、特許文献４に開示の発光装置を示す側面断面図である。基板は、液晶ポリマ等の電気絶縁性材料を用い、射出成形によって絶縁性基材を形成する。そして、ＬＥＤチップの実装箇所に凹所を設ける等して３次元の立体形状の絶縁性基材を形成する。絶縁性基材の表面には金属膜を形成した後、回路部を形成する箇所以外の金属膜は除去する。基板の凹所にＬＥＤチップを実装し、回路部とＬＥＤチップを導電性接着材で電気的に接合する。その後にＬＥＤチップの上部電極と回路部とを金線で接合する。その次に凹所内に透明樹脂を充填してＬＥＤチップを封止する。最後に基板の表面に透明樹脂等から成る拡散板を取り付けて、ＬＥＤ照明モジュールが完成する。
【０００７】
このように、複数個のＬＥＤチップを凹所内に実装して基板に立体的に配置するため、基板の形状に応じて任意の配光特性が容易に得られるとともに、モジュールの薄型化が可能となる。しかし、特許文献４に開示の発光装置は、パッケージ土台となる基板を３次元に形成しておいて、後で配線を形成するものであるために、工程が複雑で、コストが高くなるという問題がある。
【０００８】
図１５は、特許文献５に開示のＬＥＤ照明器具を示す図であり、（Ａ）は上面図を示し、（Ｂ）は部分断面図を示している。図示のように、絶縁金属基板は、しぼり加工により設けたＬＥＤチップ設置用の凹所を有する。絶縁金属基板は、金属基板層，絶縁材料層からなる電気絶縁層，導電性金属からなる電極パターンと、リードパターンとからなっている。隣接するＬＥＤチップ同士は電極パターンを介してボンディングワイヤによって電気的に接続されている。
【０００９】
しかし、特許文献５には、多数のＬＥＤチップとか抵抗を接続したＬＥＤ照明器具としてしか開示していない。ＬＥＤチップ1個が不良となった場合の不良救済のためには個別パッケージによる照明器具への搭載が簡潔な解決策であるが、特許文献５には、ＬＥＤチップ毎に切り分けて個片化した個別パッケージ、及びこの個別パッケージを配線基板及び放熱体に装着することについての開示は無い。それ故に、放熱についての検討がなされていない。一般的な絶縁金属板が使用されているためＬＥＤチップの下面に位置する電気絶縁層は、通常８０μmと厚く熱伝導性が悪いために、良好な放熱特性が得られないという問題がある。また、通常に使用されている電気絶縁層は、耐熱性ではあるものの、有機物なので、長期間使うと劣化のおそれがある。
【００１０】
また、特許文献５は、ＬＥＤチップと電極パターンとの配線に際して、ＬＥＤチップの上部電極との間ではボンディングワイヤを用いる一方、下部電極との間では導電性接着材で電気的に接合する技術を開示する。このように、導電性接着材でＬＥＤチップを実装するのみで、下部電極配線は完了する。しかし、下部電極を配線するための電極パターンは必須である。より一層の配線プロセスの簡単化が求められる。
【００１１】
図１６は、特許文献６に開示の発光装置を示す断面図である。ＬＥＤ素子を搭載するＣｕ基板は、SiO2からなる絶縁層を接着剤として薄膜状のＣｕ配線層を一体的に有する。Ｃｕ配線層の表面は、Ａｇめっきが施されて光反射性を有している。ＬＥＤ素子は、素子搭載部におけるＣｕ配線層、絶縁層を部分的に除去してＣｕ基板を露出させており、この露出させたＣｕ基板の表面に接着固定している。ＬＥＤ素子の一対の電極は、ワイヤを介して対応するＣｕ配線層に接続されている。透光性樹脂材料である封止樹脂が、Ｃｕ基板の素子搭載部分に封止されている。このように、Ｃｕ基板の露出した表面に、ＬＥＤ素子を接着固定したことにより、ＬＥＤ素子により発生した発熱をＣｕ基板に速やかに熱伝導させることができ、放熱性を向上させることができる。
【００１２】
しかし、Ｃｕ配線層及び絶縁層を部分的に除去してＣｕ基板を露出させるプロセスは容易なことではない。従来、このような部分的な除去はエッチング技術で行われるが、絶縁層として用いられているSiO2は、通常の酸やアルカリではエッチングは困難で、取り扱い上極めて危険な薬品であるフッ酸を使用する必要がある。さらには、Cuはフッ酸と反応してCuF2を形成するので、表面Cu箔が損傷してしまうという問題もある。より簡易な絶縁層の部分的除去プロセスが求められている。
【先行技術文献】
【特許文献】
【００１３】
【特許文献１】特開2005-158957号公報
【特許文献２】特開2000-106458号公報
【特許文献３】特開2002-335019号公報
【特許文献４】特開平11-163412号公報
【特許文献５】特開平1-309201号公報
【特許文献６】特開2006-245032号公報
【発明の概要】
【発明が解決しようとする課題】
【００１４】
絶縁層として、上述の特許文献６に開示のSiO2に代えて、例えばポリイミド樹脂層を用いるとして、第一段階として金属箔をエッチングして開口しておいて、開口した金属箔をマスクとして利用して第二段階でポリイミド樹脂層をエッチングで開口するとしても、ポリイミド樹脂層をエッチングするためには毒性のヒドラジンを必要とし、樹脂層がポリイミド前駆体の場合は、アルカリエッチングによる開口工程の後で前駆体のイミド化を必要とするのでプロセスが複雑となる。
【００１５】
更には、樹脂層開口部のサイズを金属箔開口部のサイズと同じか又は小さくするエッチングの制御が困難で、開口部において金属箔端面より樹脂層端面が後退する危険性があり、金属箔端面と金属プレートとのショートによる信頼性の低下が懸念される。
【００１６】
本発明は、係る問題点を解決して、金属プレートを加工して形成したＬＥＤパッケージ基板の製造プロセスを容易かつ簡単化することを目的としている。
【００１７】
また、本発明は、ＬＥＤチップを装着したＬＥＤパッケージを、配線基板に取り付けると共に放熱体を装着して構成したＬＥＤモジュール装置の放熱特性を改善するだけでなく、ＬＥＤチップの実装及びその配線を簡単化することを目的としている。
【００１８】
本発明は、ＬＥＤパッケージ基板として加工性及び熱伝導性の良好な金属プレートを用い、かつ、そこに装着されるＬＥＤチップの接続配線との絶縁性を確保する絶縁層を用いつつも、この絶縁層を介すること無くＬＥＤチップを装着してＬＥＤチップから放熱体への熱伝導性を向上させることを目的としている。
【００１９】
また、本発明は、配線基板に接続するＬＥＤパッケージの電気接続部を、ＬＥＤチップよりも上面に位置させる一方、ＬＥＤパッケージ基板を装着する放熱体を下方に位置させて両者を分離し、かつ、金属プレート自体を電気的導電路として利用することにより、ＬＥＤパッケージ基板と配線基板との電気的接続を簡易に行うと同時に、放熱と電気接続のそれぞれのコストパフォーマンスの最適化を図って、総合して安価で高効率な排熱を実現することを目的としている。
【課題を解決するための手段】
【００２０】
本発明のＬＥＤモジュール装置及びその製造方法は、金属プレートを加工してＬＥＤチップのためのＬＥＤパッケージ基板を構成し、かつ、該基板を用いたＬＥＤパッケージを配線基板に装着して構成する。ＬＥＤパッケージ基板は、ＬＥＤチップが装着される平板状底部及び該底部端の両側からそれぞれ立ち上がる壁部を形成するように曲げ加工した金属プレートと、該金属プレート上に接着される絶縁層と金属箔からなる積層構成を備える。この積層構成は、少なくとも絶縁層の打ち抜き加工により形成したＬＥＤチップ装着用の開口部、及び金属箔先端側を部分的に除去した金属箔除去部を備える。絶縁層を介すること無く、金属プレートの平板状底部上面にＬＥＤチップを装着して、該ＬＥＤチップの一対の電極は金属プレートの平板状底部或いはその上の金属箔に接続されている。透明樹脂を壁部に挟まれた凹所に充填することによりＬＥＤパッケージを構成して、壁部の上端側の金属プレート或いはその上の金属箔を、一対の接続電極として構成する。ＬＥＤパッケージを配線基板に実装して、一対の接続電極を配線基板の配線と接続すると共に、ＬＥＤパッケージの平板状底部裏面を放熱体に固着或いは接触させる。
【００２１】
金属プレート上に絶縁層を介して形成した金属箔は、ＬＥＤチップの両方の側に互いに分離して形成されると共に、ＬＥＤチップの一対の電極の接続はそれぞれ、互いに分離して形成された金属箔にワイヤボンド接続され、かつ、両方の側の壁部の上端側の金属箔を、一対の接続電極として構成することができる。
【００２２】
壁部の上端側の金属箔を、一対の接続電極の内の一方の接続電極として構成し、かつ、他方の接続電極を、壁部の上端側の金属プレートにより構成し、かつ、絶縁層を介すること無く、金属プレートの平板状の底部にＬＥＤチップを、導電性ダイボンド材を用いて電気的及び機械的に結合して、該ＬＥＤチップの一対の電極の内の一方の電極を金属箔にワイヤボンド接続する一方、他方の電極の接続は、金属プレートに対して導電性ダイボンド材により接続することができる。
【００２３】
ＬＥＤチップの両側において互いに分離して金属表面処理を施すことにより形成した反射材を備えることができる。放熱体は放熱板又は筐体であり、若しくはＬＥＤパッケージ基板の平板状底部裏面を配線基板に固着してこの配線基板を放熱体として機能させる。底部端の両側からそれぞれ立ち上がる左右方向壁部に連結しかつそれに直交する前後方向壁部を設けて、封止樹脂を左右前後から閉じこめる機能を果たすことができる。
【００２４】
開口部及び金属箔除去部は、積層した樹脂層と金属箔を同時に打ち抜き加工するか、或いは、エッチングにより金属箔を開口した後、金属箔開口部において打ち抜き加工により樹脂層を開口する。ＬＥＤパッケージ基板は、１枚の金属プレートの上に複数個同時作成し、ＬＥＤパッケージ基板上にＬＥＤチップを装着して樹脂封止した後、個々のＬＥＤパッケージ或いは任意の複数個連結したＬＥＤパッケージに切り分ける個片化を行う。
【発明の効果】
【００２５】
本発明によれば、ＬＥＤパッケージ基板に加工性及び熱伝導性の良好な金属プレートを用い、かつ、この金属プレートの上にＬＥＤチップを装着するための開口部の形成を、エッチングではなく、打ち抜き加工（パンチング）で行うことにより、製造プロセスを簡単化することができる。また、金属プレートの上に装着されるＬＥＤチップ接続配線との絶縁性を確保する絶縁層を用いつつも、この絶縁層を介すること無くＬＥＤチップを装着したパッケージ基板底面全体で放熱に寄与できるので、放熱特性を向上させることができる。また、ＬＥＤチップからの放熱は絶縁層には直接伝熱しないので、絶縁層に有機物を用いても熱による劣化のおそれが少ない。
【００２６】
また、本発明によれば、ＬＥＤパッケージ基板の配線基板との電気接続部を、ＬＥＤパッケージ基板を装着する放熱体から分離し、かつ、金属プレート自体を電気的導電路として利用することにより、ＬＥＤパッケージ基板と配線基板との電気的接続を簡易に行うと同時に、放熱と電気接続のそれぞれのコストパフォーマンスの最適化を図って、総合して安価で高効率な排熱を実現することができる。
【図面の簡単な説明】
【００２７】
【図１】本発明を具体化するＬＥＤモジュール装置の第１の例を示す側面断面図である。
【図２】金型を用いたプレス加工により形成したＬＥＤパッケージ基板の製造を説明する図である。
【図３】第１の例のＬＥＤパッケージ基板を示す図であり、（Ａ）は、ＬＥＤパッケージ基板を複数個連結した状態で示す図であり、（Ｂ）は、その１個のＬＥＤパッケージ基板のみを取り出して示す図であり、（Ｃ）は、（Ｂ）に示すＡ−Ａ’ラインで切断した断面図であり、（Ｄ）は、（Ｂ）に示すＢ−Ｂ’ラインで切断した断面図である。
【図４】図３とは異なる第２の例のＬＥＤパッケージ基板を示す図であり、（Ａ）は、ＬＥＤパッケージ基板を複数個連結した状態で示す図であり、（Ｂ）は、その１個のＬＥＤパッケージ基板のみを取り出して示す図であり、（Ｃ）は、（Ｂ）に示すＡ−Ａ’ラインで切断した断面図であり、（Ｄ）は、（Ｂ）に示すＢ−Ｂ’ラインで切断した断面図である。
【図５】図２とは異なる別の例のＬＥＤパッケージ基板の製造を説明する図である。
【図６】図２及び図５とは異なるさらに別の例のＬＥＤパッケージ基板の製造を説明する図である。
【図７】ＬＥＤパッケージの第１の例の組立てを示す図である。
【図８】（Ａ）は図７とは異なるＬＥＤパッケージの第２の例を、（Ｂ）は第３の例を示す断面図である。
【図９】ＬＥＤパッケージの第４の例を示す図であり、（Ａ）は完成したＬＥＤパッケージの上面図を示し、（Ｂ）は側面断面図を示している。
【図１０】本発明を具体化するＬＥＤモジュール装置の第２の例、及びその組立てを説明する図である。
【図１１】本発明を具体化するＬＥＤモジュール装置の第３の例を説明する図であり、（Ａ）はその断面図を示し、（Ｂ）は配線基板に３個のＬＥＤパッケージを装着した状態で示す上面図である。
【図１２】本発明を具体化するＬＥＤモジュール装置の第４の例を説明する図であり、（Ａ）は連結構成ＬＥＤパッケージの上面図を示し、（Ｂ）はこの連結構成ＬＥＤパッケージを配線基板に装着した状態のＡ−Ａ’ラインで切断した断面図を示している。
【図１３】従来公知の発光装置を例示する図である（特許文献３参照）。
【図１４】特許文献４に開示の発光装置を示す側面断面図である。
【図１５】特許文献５に開示のＬＥＤ照明器具を示す図であり、（Ａ）は上面図を示し、（Ｂ）は部分断面図を示している。
【図１６】特許文献６に開示の発光装置を示す断面図である。
【発明を実施するための形態】
【００２８】
以下、例示に基づき本発明を説明する。図１は、本発明を具体化するＬＥＤモジュール装置の第１の例を示す側面断面図である。例示のＬＥＤモジュール装置は、ＬＥＤパッケージと、ＬＥＤパッケージを装着するための開口を有する配線基板と、ＬＥＤパッケージ裏面に固着された放熱板によって構成されている。配線基板開口部へのＬＥＤパッケージの装着は、ＬＥＤパッケージ側面と配線基板の間の隙間を接着材（耐熱性接着材）で埋め、この接着材の上で、ＬＥＤパッケージの一対の接続電極を、配線基板上面の配線に半田付け等により接続することにより行う。ＬＥＤチップ発光面は、図中の上面側に向けられていて、配線基板に遮られること無く上面に向けて発光する。配線基板に装着したＬＥＤパッケージの裏面は、放熱板の上に固着或いは接触される。或いは、放熱板に代えて、筐体若しくは配線基板自体を放熱体として利用可能である。配線基板を放熱体として利用する場合、ＬＥＤパッケージは配線基板開口部ではなく、配線基板上面に装着される。熱伝導性が良い配線基板（例えば、窒化アルミのような熱伝導性フィラーをより多く充填した１層ガラスエポキシ基板）上の所定位置に、ＬＥＤパッケージを接着材（耐熱性及び絶縁性の接着材）を用いて、或いは、配線基板上に孤立した配線パターンを設けて半田接続によって固着することができる。
【００２９】
ＬＥＤパッケージは、ＬＥＤパッケージ基板の上に組み立てられる。ＬＥＤパッケージ基板は、図２（或いは図５）を参照して後述するように、ＬＥＤチップを装着して樹脂封止するための凹所を有するように所定形状に曲げ加工された金属プレートの上に、樹脂付き金属箔からなる積層膜を接着材を用いて貼り付けると共に、この金属箔の上には、反射材として機能する金属表面処理を施すことにより構成されている。接続配線として機能する金属箔（及びその上の金属表面処理）には、一対の接続電極（金属箔の両端側）を絶縁分離するだけでなく、ＬＥＤチップを装着するための開口部を設けている。この開口部（及び金属箔除去部）を形成するために、樹脂層と金属箔を同時に、或いは少なくとも樹脂層を、危険な薬品を使うエッチングによること無くパンチングで開口する。樹脂付金属箔に接着層を一体化させたものをパンチングで開口し（図示省略）、それを金属プレートに貼り付けても良い。このように構成されたＬＥＤパッケージ基板上に、ＬＥＤチップが装着され、電気的に接続配線された後、透明樹脂を充填して、ＬＥＤパッケージが構成されている。
【００３０】
このように、例示のＬＥＤパッケージ基板は、金属プレートと金属箔に挟まれた絶縁層を、樹脂層（ポリイミド膜）と接着材層との２層により構成しているが（図２又は図５参照）、金属プレートと金属箔の間を絶縁分離することができるものであれば、必ずしも２層構成にする必要はなく、例えば、ポリイミド膜或いは接着材層を単独で使用可能である。信頼性については、個片化後の剛性が、金属箔よりも厚い金属プレートで保持できるので、格段に向上する。透明樹脂で剛性を確保する必要が無くなり、樹脂材料の選択肢が豊富になり、結果的にコスト低減に繋がる。以下、本発明を具体化するＬＥＤモジュール装置について、さらに詳述する。
【００３１】
図２は、金型を用いたプレス加工により形成したＬＥＤパッケージ基板の製造を説明する図である。（ａ）は、加工されるべき金属プレート（銅とかアルミのような高熱伝導性の板状金属部材）を示す側面図である。（ｂ）は、（ａ）に示す金属プレートの上に貼り合わされる樹脂層（例えば、ポリイミド膜）と金属箔（例えば、銅箔）からなる積層膜である。次に、（ｃ）に示すように、この積層膜を打ち抜き加工（パンチング）することにより、開口部を設ける。これによって、樹脂層と金属箔を同時にパンチングで開口することが可能になる。或いは、図６を参照して後述するように、第一段階として広めに金属箔をエッチングして開口しておいて、第二段階で金属箔開口部においてパンチングで樹脂層を開口することも可能である。
【００３２】
この開口部は、後述のように、左右両側の銅箔を電気的に絶縁分離すると共に、ＬＥＤチップを装着するスペースを形成する。両側に分離した銅箔は、ＬＥＤチップの接続配線として利用することができる。また、銅箔に限らず、アルミのような高熱伝導性の金属箔（金属層）を用いることができる。
【００３３】
次に、（ｄ）に示すように、開口部を形成した積層膜のポリイミド膜側を、（ａ）に示す金属プレートの上に接着材を用いて貼り付ける。或いは、接着剤/ポリイミド樹脂/金属箔（銅箔）から成る積層体に、チップ搭載箇所に相当する部分に打ち抜きにより開口部を開けて、金属プレートに接着することも可能である。接着材は絶縁性を有することが望ましいが、ＬＥＤチップ下には存在しないので熱伝導性は必ずしも必要としない。これによって、樹脂層（ポリイミド膜）と接着材層からなる２層の絶縁層を、金属プレートと金属箔で挟んだ積層構成となる。この絶縁層は、必ずしも２層に構成する必要はなく、金属プレートと銅箔の間の絶縁を行うことができるものであれば、例えば、樹脂層（ポリイミド膜）のみを金属プレートと金属箔の間に挟んだ狭着構成にすることができる。この狭着構成は、熱圧着性ポリイミド樹脂と金属箔（銅箔）から成る積層体を金属プレートに高温加圧接着することにより行う。或いは、絶縁層としては、ポリイミド膜を用いること無く、絶縁性の接着材層のみとすることも可能である。この接着材層のみの場合、接着材層側に保護テープを貼り付けておき、その保護テープと一緒に打ち抜き加工し、貼り付け時に保護テープを外して金属プレートに貼り付けることができる。また、配線基板（図１参照）に半田付けされる接続電極先端側を部分的に除去した金属箔除去部を設ける。
【００３４】
次に、（ｅ）に示すように、積層膜を貼り付けた金属プレートの曲げ加工を行う。この折り曲げ加工は、ＬＥＤチップを搭載して樹脂封止するための凹所、及び上部を外方向に折り曲げた接続電極を形成するように、金型を用いたプレス加工によって行う。
【００３５】
次に、（ｆ）に示すように、ＬＥＤチップからの発光の反射材として機能する金属表面処理（例えば、銀メッキ）を、金属箔の上面の全てに施す。メッキ処理のためのメッキ電極として金属箔を用いることにより、開口部を除いて、金属箔の上面のみにメッキすることが可能になる。または、金属表面処理の必要な箇所に銀インクを用いてインクジェット塗布し、焼成することによって光沢面（反射材）を形成することも可能である。
【００３６】
図３は、第１の例のＬＥＤパッケージ基板を示す図であり、（Ａ）は、ＬＥＤパッケージ基板を複数個連結した状態で示す図であり、（Ｂ）は、その１個のＬＥＤパッケージ基板のみを取り出して示す図であり、（Ｃ）は、（Ｂ）に示すＡ−Ａ’ラインで切断した断面図であり、（Ｄ）は、（Ｂ）に示すＢ−Ｂ’ラインで切断した断面図である。図示の例において、5×14個のＬＥＤパッケージ基板を、１枚の金属プレートの上に同時作成するものとして例示している。後の工程で、ＬＥＤパッケージ基板上にＬＥＤチップを装着して樹脂封止した後、個々のパッケージ或いは任意の複数個連結したパッケージに切り分ける個片化が行われる。個片化は、図３（Ａ）に示す分割ラインに沿って行われるが、複数個のＬＥＤパッケージを連結するための連結部を作成することによって、電気的に直列に接続されると同時に、連結構成ＬＥＤパッケージに柔軟性を付与して、凸面形状或いは凹面形状などの任意の外表面形状を有するヒートシンク或いは筐体の上に装着することができる（後述する図１２参照）。
【００３７】
図示のＬＥＤパッケージ基板は、ＬＥＤチップを搭載して樹脂封止するための凹所が形成されている。この凹所形成のために、平板状底部両側には左右壁部が設けられ、また、この左右壁部に連結しかつ直交する前後壁部が設けられて、封止樹脂を左右前後から閉じこめる機能を果たしている。左右壁部上面の金属箔（及びその上の金属表面処理）は、一対の接続電極として機能させることができる。また、開口部は一対の接続電極を電気的に分離するだけでなく、後述のように、この開口部にＬＥＤチップが装着されることになる。
【００３８】
このように、ＬＥＤパッケージ基板は、ＬＥＤチップが搭載されることになる開口部を備える平板状の底部と、この底部の左右前後に位置して底部端から折曲して立ち上がる方向に、ＬＥＤチップの発光方向と同じ側に伸びる左右及び前後の壁部を備えている。この一対の左右の壁部先端面の金属箔は、接続電極として機能させることができる。底部端から左右前後の壁部が立ち上がる方向は、必ずしも直交する必要はなく、接続電極が平板状の底部より上方に位置できるように、例えば、斜め上方に直線的に、或いは湾曲させて立ち上がらせても良い。後述するように（図７参照）、開口部にＬＥＤチップを装着して、その一対の電極を、２分割した底部金属箔のそれぞれにワイヤボンド接続をする。
【００３９】
図４は、図３とは異なる第２の例のＬＥＤパッケージ基板を示す図であり、（Ａ）は、ＬＥＤパッケージ基板を複数個連結した状態で示す図であり、（Ｂ）は、その１個のＬＥＤパッケージ基板のみを取り出して示す図であり、（Ｃ）は、（Ｂ）に示すＡ−Ａ’ラインで切断した断面図であり、（Ｄ）は、（Ｂ）に示すＢ−Ｂ’ラインで切断した断面図である。図示の例においても、図３と同様に、5×14個のＬＥＤパッケージ基板を、１枚の金属プレートの上に同時作成するものとして例示している。図４に示す第２の例のＬＥＤパッケージ基板において、凹所の左右側のみに壁部を設けている点で、左右だけでなく前後に壁部を設けた図３とは相違している。後の工程で、ＬＥＤパッケージ基板上にＬＥＤチップを装着した後、樹脂封止する際に、図中の左右方向に流れる樹脂は左右壁部によって規制される一方、前後方向に流れる樹脂は、パッケージ基板のエッジ部処理、例えばエッジ部のみ壁部を設けることによって規制される。その他の構成についての説明は、図３と同じであるので省略する。
【００４０】
図５は、図２とは異なる別の例のＬＥＤパッケージ基板の製造を説明する図である。（ａ）は、加工されるべき金属プレート（銅とかアルミのような高熱伝導性の板状金属部材）を示す側面図である。（ｂ）は、（ａ）に示す金属プレートの上に貼り合わされる樹脂層（例えば、ポリイミド膜）と金属箔（例えば、銅箔）からなる積層膜である。次に、（ｃ）に示すように、この積層膜を打ち抜き加工することにより、開口部を設ける。以上の工程は、図２を参照して説明した通りである。
【００４１】
次に、（ｄ）に示すように、金属箔の上に、熱伝導性の接着材を塗布する。熱伝導性の接着材は、熱伝導性フィラー（窒化アルミなどのセラミックや金属）の充填率を上げることによって簡単に実現できる。
【００４２】
次に、（ｅ）に示すように、開口部を形成した積層膜のポリイミド膜側を、（ｄ）に示す接着材を塗布した金属プレートの上に貼り付ける。これによって、樹脂層（ポリイミド膜）と接着材層からなる２層の絶縁層を、金属プレートと金属箔で挟んだ積層構成となるが、開口部においては、金属プレートの上に熱伝導性の接着材が露出している。
【００４３】
次に、（ｆ）に示すように、積層膜を貼り付けた金属プレートの曲げ加工を行う。この折り曲げ加工は、ＬＥＤチップを搭載して樹脂封止するための凹所、及び上部を外方向に折り曲げた接続電極を形成するように、金型を用いたプレス加工によって行う。接続電極を配線基板に対して半田付けした際に（図１参照）、半田が接続電極と金属プレートを電気的にショートさせるのを防ぐために、接続電極先端側を部分的に除去した金属箔除去部を設ける。
【００４４】
次に、（ｇ）に示すように、図２を参照して説明したように、ＬＥＤチップからの発光の反射材として機能する金属表面処理（例えば、銀メッキ）を、金属箔の上面の全てに施す。
【００４５】
図６は、図２及び図５とは異なるさらに別の例のＬＥＤパッケージ基板の製造を説明する図である。例示のＬＥＤパッケージ基板は、金属プレートと金属箔に挟まれた絶縁層を、樹脂層（ポリイミド膜）と接着材層との２層により構成しているが（図２又は図５参照）、金属プレートと金属箔の間を絶縁分離することができるものであれば、必ずしも２層構成にする必要はなく、例えば、ポリイミド膜或いは接着材層を単独で使用可能である。図６は、積層膜の開口部の形成を２段階で行った例を示している。第一段階として広めに金属箔をエッチングして開口しておいて、第二段階で金属箔開口部においてパンチングで樹脂層を開口する。二段階で行うことにより、樹脂層開口部のサイズを金属箔開口部のサイズより小さくすることが可能になる。即ち、開口部において樹脂層端面より金属箔端面を後退させることができるので、金属箔端面と金属プレートとのショートを確実に防止することが可能となり、信頼性向上につながる。さらに金属箔のエッチングにより外部電極接続部を金属プレート端から後退させることにより、配線基板への接続の際に金属プレートと外部電極（金属箔）のショートの危険性を低減できる。
【００４６】
図７は、ＬＥＤパッケージの第１の例の組立てを示す図である。（ａ）に示すＬＥＤパッケージ基板は、図３に示した第１の例のＬＥＤパッケージ基板或いは図４に示した第２の例のＬＥＤパッケージ基板と同一のものである。また、図６に例示のＬＥＤパッケージ基板を用いることができる。このＬＥＤパッケージ基板の開口部において、金属プレートの上に、（ｂ）に示すように、ＬＥＤチップを固着する。このチップ固着は、銀ペースト、金シリコン共晶、或いは銀ナノペースト（焼成後銀の特性を持つ）などのダイボンド材を用いて行う。このＬＥＤチップは、ＬＥＤ発光面を上面に有している。なお、ＬＥＤチップは、１個のみを例示したが、複数チップを搭載することもできる（図９参照）。
【００４７】
次に、（ｃ）に示すように、ＬＥＤチップと、接続配線として機能する金属箔との間でワイヤボンド接続が行われる。装着したＬＥＤチップの一対の電極を、左右に２分割された金属箔のそれぞれとボンディングワイヤによりワイヤボンド接続する。上述したように、金属箔の上には、反射材として金属表面処理（銀メッキ）が形成されているので、この銀メッキをワイヤボンディング性向上にも機能させることができる。
【００４８】
次に、（ｄ）に示す樹脂封止において、透明樹脂（材質は、例えばエポキシ系やシリコーン系）には、蛍光体を混合しても良い。一般的に白色ＬＥＤの場合は、青色発光ＬＥＤチップを用いてＬＥＤチップ上に黄色の蛍光体を配置し、この蛍光体が青色を受けて白く光っている。通常、この蛍光体は透明樹脂に混入されている場合が多い。樹脂封止は、連結状態のパッケージを金型内に配置して行われる。或いは樹脂封止はディスペンサーやスクリーン印刷で行なっても良い。封止樹脂の高さは、接続電極として機能する壁部先端面と同平面まで注入する。この後、個々のパッケージに、或いは複数個連結した状態のパッケージに個片化することによって、ＬＥＤパッケージが完成する。
【００４９】
図８（Ａ）は図７とは異なるＬＥＤパッケージの第２の例を、（Ｂ）は第３の例を示す断面図である。（Ａ）に示すＬＥＤパッケージ基板の第２の例は、図３に示した第１の例のＬＥＤパッケージ基板或いは図４に示した第２の例のＬＥＤパッケージ基板と同一のものである。但し、接続電極は異なっている。例示の構成は、金属プレート上に絶縁膜を介して形成される金属箔（及び金属表面処理）だけでなく、金属プレート自体を接続電極として利用する。
【００５０】
ＬＥＤチップは、ＬＥＤパッケージ基板の開口部において、金属プレートの上に、電気的及び機械的に固着する。ＬＥＤチップの一対の電極の内の一方は、その上面に形成される一方、他方の電極は、ＬＥＤチップの下面に形成されている。チップ固着は、銀ペースト、金シリコン共晶、或いは銀ナノペースト（焼成後銀の特性を持つ）などの導電性ダイボンド材（導電性接着材）を用いて行う。この導電性ダイボンド材を用いた固着により、同時にチップ下面の電極と金属プレートの間の電気的接続が完了する。これによって、図中右側の接続電極は、上端側の金属箔により構成されるのに対して、図中左側の接続電極は、上端側の金属プレート側面により構成される。さらに、左側の接続電極の上端側の絶縁層及び金属箔を除去して、上面側を接続電極とすることも可能である。
【００５１】
或いは、ＬＥＤチップ上面に一対の電極を設けて、その双方をワイヤボンド接続することも可能である。このとき、一方のワイヤは金属箔に接続するのに対して、他方のワイヤは金属プレートの平板状底部上面に接続する。次に、図７に示す第１の例の組立てにおいて説明したように、樹脂封止を行う。
【００５２】
図８（Ｂ）に示す第３の例は、図右側には、図７と同様に、ＬＥＤチップの一方の電極が接続される金属箔（及びその上の金属表面処理）が絶縁層を介して金属プレートの上に形成されているのに対して、図左側の金属プレートには、反射材としての金属表面処理が形成されているのみで、絶縁層及び金属箔が貼り付けられていない。この金属表面処理は、金属プレート上の必要な箇所に銀インクを用いてインクジェット塗布し、焼成することによって光沢面（反射材）を形成することにより行うことができる。
【００５３】
図９は、ＬＥＤパッケージの第４の例を示す図であり、（Ａ）は完成したＬＥＤパッケージの上面図を示し、（Ｂ）は側面断面図を示している。例示のＬＥＤパッケージ基板は、開口部の上に複数個（６×６個として例示）のＬＥＤチップが搭載されて、ＬＥＤチップ相互の配線及びＬＥＤチップと金属箔との配線が、ボンディングワイヤを用いて接続されている。
【００５４】
図１０は、本発明を具体化するＬＥＤモジュール装置の第２の例、及びその組立てを説明する図である。ここでは、ＬＥＤパッケージとして、図８（Ａ）に示すＬＥＤパッケージの第２の例を用いるものとして説明するが、この第２の例に代えて、図７に示す第１の例、図８（Ｂ）に示す第３の例、或いは図９に示す第４の例を用いることもできる。
【００５５】
最初に、（ａ）に示すように、ＬＥＤパッケージと、このＬＥＤパッケージに相当する開口部を有する配線基板（例えば、１層ガラスエポキシ基板）を用意して、この配線基板の開口部にＬＥＤパッケージを配置して、このＬＥＤパッケージ側面と配線基板の間の隙間を接着材（耐熱性及び絶縁性の接着材）で埋める。ＬＥＤパッケージの一対の接続電極の内の一方（図中の左側）は、金属プレート自体の端部であるのに対して、接続電極の他方（図中の右側）は、金属プレートの上に絶縁層を介して形成した金属箔である。このように、ＬＥＤパッケージの左側は、パッケージ基板自体が接続電極となるので、少なくともその側面或いは上面の一部を露出させるように接着材を充填する。
【００５６】
次に、（ｂ）に示すように、この接着材の上で、ＬＥＤパッケージの一対の接続電極を、配線基板上面の配線に半田付け、或いはインクジェットによる銅や銀等により接続する。この際、図２（ｅ）に示したように、図中の右側の接続電極と金属プレートを、半田が電気的にショートさせるのを防ぐために、接続電極先端側を部分的に除去した金属箔除去部を設ける。即ち、接続電極端部は、金属プレート端より内側に配置されることになる。電極端と金属プレート端の半田ショートを防止するため、工程を追加すること無く、図２（ｃ）に示す積層加工（打ち抜き）工程によって金属箔除去部を設けることができる。ＬＥＤチップ発光面は、図中の上面側に向けられていて、ＬＥＤパッケージ基板に遮られること無く上面に向けて発光する。
【００５７】
次に、（ｃ）に示すように、配線基板を装着したＬＥＤパッケージを、放熱板（例えば、銅あるいはアルミ板）の上に固着する。この固着のために、絶縁性（かつ熱伝導性）の接着材（シートあるいは液状）を用いて接着する。この接着材を用いて、ＬＥＤパッケージ基板と放熱板の間を絶縁分離する。また、放熱板に代えて、そのまま筐体へ固着或いは接触させることも可能である。
【００５８】
図１１は、本発明を具体化するＬＥＤモジュール装置の第３の例を説明する図であり、（Ａ）はその断面図を示し、（Ｂ）は配線基板に３個のＬＥＤパッケージを装着した状態で示す上面図である。ここでは、ＬＥＤパッケージの第２の例（図８（Ａ））を用いるものとして説明するが、第１の例（図７）、第３の例（図８（Ｂ））或いは第４の例（図９）も同様に用いることができる。ＬＥＤパッケージに相当する開口部を有する配線基板は、例えば、裏面に配線層を有する１層ガラスエポキシ基板とすることができるが、光放射のために配線基板は出来るだけ薄い方が望ましく、ポリイミドのようなテープ基板でも良い。配線基板を開口すると基板の厚さ分が壁となり、そこに当る光がロスとなる。このためこの壁となる厚さが薄い程有利になる。またこのロスを小さくするために、図１１（Ｂ）に示す配線基板は、開口面積をＬＥＤパッケージ面積よりも大きくしておいて、ＬＥＤパッケージとの接続部を爪状に小さく構成している。配線基板のおもて面には、反射効果を得るために白色レジストを塗布する。この配線基板の開口部にＬＥＤパッケージを配置して、このＬＥＤパッケージ上面の接続電極を、配線基板裏面の配線に半田付けする。ＬＥＤチップ発光面は、図中の上面側に向けられていて、ＬＥＤパッケージ基板に遮られること無く上面に向けて発光する。
【００５９】
配線基板を装着したＬＥＤパッケージは、放熱板（例えば、銅あるいはアルミ板）の上に高熱伝導性かつ絶縁性の接着材を用いて接着する。また、放熱板に代えて、そのまま筐体へ固着或いは接触させることも可能である。
【００６０】
図１２は、本発明を具体化するＬＥＤモジュール装置の第４の例を説明する図であり、（Ａ）は連結構成ＬＥＤパッケージの上面図を示し、（Ｂ）はこの連結構成ＬＥＤパッケージを配線基板に装着した状態のＡ−Ａ’ラインで切断した断面図を示している。連結構成ＬＥＤパッケージは、複数個（４個として例示）のＬＥＤパッケージを、連結部で連結したものである。例示のＬＥＤパッケージは、図７を参照して説明した第１の例と同じ構成を有している。連結部は、絞り加工時の歪みを逃すために、連結部の両側に部分切除部が形成されている。連結部で連結することによって、電気的に直列に接続されると同時に、連結構成ＬＥＤパッケージに柔軟性を付与して、凸面形状或いは凹面形状などの任意の外表面形状を有するヒートシンク或いは筐体のような放熱体上に装着することができる。連結構成ＬＥＤパッケージの最両端側には、連結部はなく、ここに接続電極が形成されることになる。そして、この連結構成ＬＥＤパッケージが配線基板に実装される。配線基板上への実装は、図９を参照して上述したように、ＬＥＤパッケージ側面と配線基板との間を絶縁性の接着材で埋め、次に、この絶縁性接着材の上で、連結構成ＬＥＤパッケージの一対の接続電極を、配線基板上面の配線に半田付け、或いはインクジェットによる銅や銀等により接続する。
【００６１】
以上、本開示にて幾つかの実施の形態を単に例示として詳細に説明したが、本発明の新規な教示及び有利な効果から実質的に逸脱せずに、その実施の形態には多くの改変例が可能である。
【図１】
2015038902.tif 000003
【図２】
2015038902.tif 000004
【図３】
2015038902.tif 000005
【図４】
2015038902.tif 000006
【図５】
2015038902.tif 000007
【図６】
2015038902.tif 000008
【図７】
2015038902.tif 000009
【図８】
2015038902.tif 000010
【図９】
2015038902.tif 000011
【図１０】
2015038902.tif 000012
【図１１】
2015038902.tif 000013
【図１２】
2015038902.tif 000014
【図１３】
2015038902.tif 000015
【図１４】
2015038902.tif 000016
【図１５】
2015038902.tif 000017
【図１６】
2015038902.tif 000018
【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
金属プレートを加工してＬＥＤチップのためのＬＥＤパッケージ基板を構成し、かつ、該基板を用いたＬＥＤパッケージを配線基板に装着したＬＥＤモジュール装置において、
前記ＬＥＤパッケージ基板は、ＬＥＤチップが装着される平板状底部及び該底部端の両側からそれぞれ立ち上がる壁部を形成するように曲げ加工した金属プレートと、該金属プレート上に接着される樹脂層からなる絶縁層と、金属箔からなる積層構成を備え、
前記積層構成は、少なくとも前記絶縁層の打ち抜き加工により形成したＬＥＤチップ装着用の開口部、及び金属箔先端側を部分的に除去した金属箔除去部を備え、
前記絶縁層を介すること無く、前記金属プレートの平板状底部上面にＬＥＤチップを装着して、該ＬＥＤチップの一対の電極は前記金属プレートの平板状底部或いはその上の前記金属箔に接続されており、
透明樹脂を前記壁部に挟まれた凹所に充填することによりＬＥＤパッケージを構成して、前記壁部の上端側の金属プレート或いはその上の金属箔を、一対の接続電極として構成し、
前記ＬＥＤパッケージを配線基板に実装して、前記一対の接続電極を配線基板の配線と接続すると共に、前記ＬＥＤパッケージの平板状底部裏面を放熱体に固着或いは接触させることから成るＬＥＤモジュール装置。
【請求項２】
前記ＬＥＤチップの両側において互いに分離して金属表面処理を施すことにより形成した反射材を備える請求項１に記載のＬＥＤモジュール装置。
【請求項３】
前記金属プレート上に前記絶縁層を介して形成した前記金属箔は、前記ＬＥＤチップの両方の側に互いに分離して形成されると共に、前記ＬＥＤチップの一対の電極の接続はそれぞれ、互いに分離して形成された前記金属箔にワイヤボンド接続され、かつ、両方の側の前記壁部の上端側の前記金属箔を、一対の接続電極として構成した請求項１に記載のＬＥＤモジュール装置。
【請求項４】
前記壁部の上端側の金属箔を、一対の接続電極の内の一方の接続電極として構成し、かつ、他方の接続電極を、前記壁部の上端側の金属プレートにより構成し、かつ、前記絶縁層を介すること無く、前記金属プレートの前記平板状の底部にＬＥＤチップを、導電性ダイボンド材を用いて電気的及び機械的に結合して、該ＬＥＤチップの一対の電極の内の一方の電極を前記金属箔にワイヤボンド接続する一方、他方の電極の接続は、前記金属プレートに対して前記導電性ダイボンド材により接続した請求項１に記載のＬＥＤモジュール装置。
【請求項５】
前記放熱体は放熱板又は筐体であり、若しくは前記ＬＥＤパッケージ基板の平板状底部裏面を前記配線基板に固着してこの配線基板を放熱体として機能させた請求項１に記載のＬＥＤモジュール装置。
【請求項６】
前記底部端の両側からそれぞれ立ち上がる左右方向壁部に連結しかつそれに直交する前後方向壁部を設けて、封止樹脂を左右前後から閉じこめる機能を果たす請求項１に記載のＬＥＤモジュール装置。
【請求項７】
金属プレートを加工してＬＥＤチップのためのＬＥＤパッケージ基板を構成し、かつ、該基板を用いたＬＥＤパッケージを配線基板に装着したＬＥＤモジュール装置の製造方法において、
樹脂層からなる絶縁層の上に金属箔を積層した積層構成を形成し、
少なくとも前記絶縁層の打ち抜き加工を行うことにより、前記積層構成にＬＥＤチップ装着用の開口部、及び金属箔先端側を部分的に除去した金属箔除去部を設け、
前記積層構成を、前記金属プレートの上に接着し、
前記積層構成を接着した前記金属プレートの曲げ加工を行なって、ＬＥＤチップが搭載されることになる平板状の底部と、この底部の両側に位置して底部端から折曲して立ち上がる方向に、ＬＥＤチップの発光方向と同じ側に伸びる壁部を備えて、この壁部上部を外方向に折り曲げて、ＬＥＤパッケージ基板を構成し、
前記壁部の上端側の金属プレート或いはその上の金属箔を、一対の接続電極として機能させ、
前記絶縁層を介すること無く、前記金属プレートの前記平板状の底部にＬＥＤチップを装着して、該ＬＥＤチップの一対の電極を前記平板状の底部の金属プレート或いはその上の金属箔に接続し、
透明樹脂を前記壁部に挟まれた凹所に充填することにより樹脂封止して、ＬＥＤパッケージを構成し、
前記ＬＥＤパッケージを配線基板に実装して、前記一対の接続電極を配線基板上の配線と接続すると共に、前記ＬＥＤパッケージ基板の平板状底部裏面を放熱体に固着或いは接触させることから成るＬＥＤモジュール装置の製造方法。
【請求項８】
前記開口部及び前記金属箔除去部は、積層した樹脂層と金属箔を同時に打ち抜き加工するか、或いは、エッチングにより金属箔を開口した後、金属箔開口部において打ち抜き加工により樹脂層を開口する請求項７に記載のＬＥＤモジュール装置の製造方法。
【請求項９】
前記壁部の上端側の金属箔を、一対の接続電極の内の一方の接続電極として構成し、かつ、他方の接続電極を、前記壁部の上端側の金属プレートにより構成し、かつ、前記絶縁層を介すること無く、前記金属プレートの前記平板状の底部にＬＥＤチップを、導電性ダイボンド材を用いて電気的及び機械的に結合して、該ＬＥＤチップの一対の電極の内の一方の電極を前記金属箔にワイヤボンド接続する一方、他方の電極の接続は、前記金属プレートに対して前記導電性ダイボンド材により接続した請求項７に記載のＬＥＤモジュール装置の製造方法。
【請求項１０】
前記金属プレート上に前記絶縁層を介して形成した前記金属箔は、前記ＬＥＤチップの両方の側に互いに分離して形成されると共に、前記ＬＥＤチップの一対の電極の接続はそれぞれ、互いに分離して形成された前記金属箔にワイヤボンド接続され、かつ、両方の側の前記壁部の上端側の前記金属箔を、一対の接続電極として構成した請求項７に記載のＬＥＤモジュール装置の製造方法。
【請求項１１】
前記ＬＥＤパッケージ基板は、１枚の金属プレートの上に複数個同時作成し、前記ＬＥＤパッケージ基板上にＬＥＤチップを装着して樹脂封止した後、個々のＬＥＤパッケージ或いは任意の複数個連結したＬＥＤパッケージに切り分ける個片化を行う請求項７に記載のＬＥＤモジュール装置の製造方法。
【請求項１２】
前記平板状の底部端の両側からそれぞれ立ち上がる左右方向壁部に連結しかつそれに直交する前後方向壁部を設けて、封止樹脂を左右前後から閉じこめる請求項７に記載のＬＥＤモジュール装置の製造方法。